(57)【要約】【課題】排水フランジ及びその周辺部に排水が溜まって尿石を付着・堆積させる問題を解決することのできる小便器用の排水フランジを提供する。【解決手段】フランジ部４４と、外周面５２がフランジ部４４から離れるに従い小径となるテーパ面をなした円筒部４６とを有し、円筒部４６を排水配管１８内に嵌入させるとともに、フランジ部４４に対して小便器の排出口３８を環状のシール部材４２を介して押圧させる状態で横向きに配置され、排出口３８と排水配管１８とを接続する小便器の排水フランジ４０において、円筒部４６における内周面５８の周方向の一部５８Ａ又は全体を外周面５２と逆向きの勾配を有する逆テーパ面とする。【選択図】        図２
2005179928.tif 000002
【特許請求の範囲】
【請求項１】
フランジ部と、外周面が該フランジ部から離れるに従い小径となるテーパ面をなした筒部とを有し、該筒部を排水配管内に嵌入させるとともに、該フランジ部に対して前記小便器の排出口を環状のシール部材を介して押圧させる状態で横向きに配置され、該排出口と排水配管とを接続する小便器の排水フランジにおいて、
前記筒部における内周面の周方向の全体若しくは一部を、前記外周面と逆向きの勾配を有する逆テーパ面となしたことを特徴とする小便器の排水フランジ。
【請求項２】
請求項１において、前記フランジ部には前記シール部材より径方向内方において前記筒部とは逆向きに突出し、前記排出口とフランジ部とで押圧された前記シール部材の排水経路へのはみ出しを防止する突出部が設けてあることを特徴とする小便器の排水フランジ。
【請求項３】
請求項２において、前記突出部が前記フランジ部の内周側の周縁に沿って環状に設けてあることを特徴とする小便器の排水フランジ。
【請求項４】
請求項１〜３の何れかにおいて、前記フランジ部には前記小便器の排出口に嵌入する嵌入部が前記筒部とは逆向きに且つ該嵌入部と筒部との各内周面が軸方向に連続した面となるように設けてあることを特徴とする小便器の排水フランジ。
【発明の詳細な説明】
【技術分野】
【０００１】
この発明は、小便器の排出口と排水配管とを接続するための排水フランジに関し、詳しくは排出口が横向きをなしていて、小便器からの排水を横方向に排出する横排水用に用いられる排水フランジに関する。
【背景技術】
【０００２】
小便器を設置する際、小便器の排出口と排水配管とを排水フランジを用いて互いに接続する。
その際、図８に示すように排出口２０２と排水フランジ２０６との間に弾性を有する環状のシール部材２１０を介挿し、それら排出口２１２と排水フランジ２０６とでシール部材２１０を押圧して、それら排出口２０２と排水フランジ２０６との間を水密にシールする。
【０００３】
例えば下記特許文献１に、この排水フランジ２０６を用いて小便器２００の排出口２０２と排水配管２０４とを接続し、また排出口２０２と排水フランジ２０６との間にシール部材２１０を介挿した接続構造が開示されている。
【０００４】
ところで、小便器の排水方式としては排出口が縦向きをなしていて排水を縦方向に排水する縦排水と、排出口が横向きをなしていて排水を横向きに排出する横排水とがあり、而して後者の横排水の方式の場合、排水フランジ周辺に尿石が付着・堆積し易い問題があった。
【０００５】
後者の横排水の場合、図８に示しているように排水フランジ２０６として、フランジ部２１２と筒部２１４とを有するものが用いられており、小便器２００の排出口２０２と排水配管２０４との接続に際しては、その筒部２１４を排水配管２０４内部に嵌入させ、またフランジ部２１２対して、排出口２０２を環状のシール部材２１０を介して横向きに押圧し、そしてそのシール部材２１２を押し潰すようにして排水フランジ２０６におけるフランジ部２１２と排出口２０２との間を水密にシールする。
【０００６】
この排水フランジ２０６は、その筒部２１４を相手側の排水配管内部に嵌入させる際の嵌入性を良くするために、外周面２１６がフランジ部から離れるに従って小径となるテーパ面となしてある。これに伴ってその内周面２１８もまた同方向のテーパ面となっており、この場合筒部２０６の内周面２１８がフランジ部２１２から離れるに従って若干上向きの勾配となり、即ち排水を行う場合には通常は下向きの排水勾配となすところ、この内周面２１８は逆勾配である上向きのテーパ面となっており、この場合小便器２００からの排水が良好に排出されずに、その排水フランジ２１６の部分に溜まってしまい、これによって排水フランジ２０６やその上流側の部分、即ち小便器の排出口２０２近傍を含む排水フランジ２０６周辺部分で排水が溜まり易く、そこで細菌が繁殖して尿石が発生及び成長して堆積し易いといった問題が生じていた。
【０００７】
ここで尿石の発生及び成長は次のようにして生ずると考えられている。
即ち尿中の尿素が細菌の作用でアンモニアに分解され、その結果排水がアルカリ性となって、尿中に含有されているカルシウム成分の溶解度が低下して排水経路上で析出し、これが更に成長して行くものと考えられている。
【０００８】
この排水フランジ２０６周辺部は、小便器の排水トラップ部より下流側で奥側の個所であるため、通常の清掃作業では清掃できない個所であり、このため同部分で尿石が次第に成長して大きく堆積し、而してその堆積量が多くなると遂には排水経路を閉塞してしまう恐れを生ずる。
【０００９】
図９及び図１０は尿石の付着促進試験を行ったとき（小便器の洗浄水として塩素を含有しない洗浄水を用いて行ったとき）の尿石の付着・堆積状況を示したものである。
同図において２２０は小便器、２２２は鉢面、２２４は排水トラップ部、２２６は小便器２２０からの排水を流し、外部に排出する排水配管で、２２８はその排水配管２２６におけるエルボ部、２３０はそのエルボ部２２８における水平部である。
２３２は排水トラップ部２２４の下流側で奥側の管路で、２０２は排出口、２３４は排出口２０２と排水配管２２６との接続用の排水フランジである。
【００１０】
Ｐは尿石を表しており、図示のように小便器を使用し続けると、内周面が逆勾配をなす排水フランジ２３４の部分、更にその上流側の管路２３２の部分、更には排水配管２２６における水平部分２３０等、排水フランジ２３４及びその周辺部分で尿石Ｐが発生して次第に成長し、堆積して行く。そしてこれをそのまま放置しておくと、小便器２２０の使用の繰返しによって尿石Ｐが大きな塊となり、遂には排水経路を閉塞するに到ってしまう。
尚、図１０（Ｂ）は尿石が付着・堆積する前の状態を表している。
【００１１】
この尿石Ｐの上記付着・堆積箇所は前記のように通常清掃のできない箇所であり、そこでこの尿石Ｐを取り除くためには、一旦小便器２２０を取り外した上で、尿石Ｐを薬剤で溶解させたり或いは高圧洗浄で溶かしたりして除去処理することが必要となる。
しかしながらこの除去処理は大掛りな処理作業となり、簡単には行うことのできないものである。
【特許文献１】特開２００１−４０７３９号公報
【発明の開示】
【発明が解決しようとする課題】
【００１２】
本発明はこのような事情を背景とし、排水フランジ及びその周辺部に排水が溜まって尿石を付着・堆積させる問題を解決することのできる小便器用の排水フランジを提供することを目的としてなされたものである。
【課題を解決するための手段】
【００１３】
而して請求項１のものは、フランジ部と、外周面が該フランジ部から離れるに従い小径となるテーパ面をなした筒部とを有し、該筒部を排水配管内に嵌入させるとともに、該フランジ部に対して前記小便器の排出口を環状のシール部材を介して押圧させる状態で横向きに配置され、該排出口と排水配管とを接続する小便器の排水フランジにおいて、前記筒部における内周面の周方向の全体若しくは一部を、前記外周面と逆向きの勾配を有する逆テーパ面となしたことを特徴とする。
【００１４】
請求項２のものは、請求項１において、前記フランジ部には前記シール部材より径方向内方において前記筒部とは逆向きに突出し、前記排出口とフランジ部とで押圧された前記シール部材の排水経路へのはみ出しを防止する突出部が設けてあることを特徴とする。
【００１５】
請求項３のものは、請求項２において、前記突出部が前記フランジ部の内周側の周縁に沿って環状に設けてあることを特徴とする。
【００１６】
請求項４のものは、請求項１〜３の何れかにおいて、前記フランジ部には前記小便器の排出口に嵌入する嵌入部が前記筒部とは逆向きに且つ該嵌入部と筒部との各内周面が軸方向に連続した面となるように設けてあることを特徴とする。
【発明の作用・効果】
【００１７】
以上のように本発明は、排水フランジの筒部における内周面の周方向の全体若しくは一部を、外周面と逆向きの勾配を有する逆テーパ面となしたもので、本発明によれば、排水フランジにおける筒部の外周面を排水配管への嵌入性のためにテーパ面となした場合においても、その内周面については先端にかけて下向きとなる順勾配の面となすことができることから、小便器の排出口から排出された排水が、その排水フランジの筒部の部分や周辺部に溜まってそれらの部分で細菌が繁殖し、尿石を付着・堆積せしめる問題を良好に解決することができる。
【００１８】
次に請求項２は、筒部とは逆向きに突出し、排出口とフランジ部とで押圧されたシール部材の排水経路へのはみ出しを防止する突出部を設けたものである。
【００１９】
このような突出部が設けられていない従来の排水フランジの場合、フランジ部に対して排出口によりシール部材を押圧すると、図８の部分拡大図中２点鎖線で示しているように、押圧されたシール部材が変形により排水路へとはみ出し、そしてそのはみ出したシール部材が障害物となって良好な排水を阻害し、このことが尿石の付着・堆積を助長する問題を生じていた。
【００２０】
しかるにこの請求項２に従って、そのシール部材のはみ出しを防止する突出部を設けておくことで、シール部材のはみ出し及びこれによる排水の流れの阻害によって尿石の付着・堆積を助長する問題を解決することができる。
【００２１】
ここで上記突出部は、フランジ部の内周側の周縁に沿って環状に設けておくことができる（請求項３）。
【００２２】
請求項４は、小便器の排出口に嵌入する嵌入部を筒部とは逆向きに設け、且つその嵌入部と筒部との各内周面を軸方向に連続した面となしたもので、このようにすることで、筒部内周面におけるテーパ角度を大きく取ることが可能となり、また小便器の排出口から排水フランジにかけての部分で排水の流れをスムーズな流れとすることができ、以って尿石の生成及び付着・堆積を良好に抑制することができる。
【発明を実施するための最良の形態】
【００２３】
次に本発明の実施形態を図面に基づいて詳しく説明する。
図１において、１０は小便器で、１２は鉢面、１４は鉢面１２の底部１６に設けられた排水トラップ部である。
１８は小便器１２からの排水を排出する排水配管で、２０はその排水配管１８における横引き管、２２は接続用のエルボ部、２４はエルボ部２２における水平部である。
【００２４】
小便器１０の上部には、洗浄水を供給し洗浄する便器洗浄装置２６が配設されている。
この便器洗浄装置２６は、人体検知用のセンサ２８と、洗浄水の供給・遮断を行う電磁バルブから成る給水バブル３０と、センサ２８の人体検知の有無に基づいて給水バルブ３０を作動制御するコントローラ３２と、洗浄水を鉢面１２に向けて噴射するスプレッダ３４とを有している。
【００２５】
一方小便器１０の下部且つ排水トラップ部１４の下流側で奥側には管路３６が形成されており、この管路３６の末端の排出口３８が、排水フランジ４０にて排水配管１８における接続用のエルボ部２２に接続されている。
【００２６】
ここで排水フランジ４０と排出口３８との間には、弾性を有するシール部材４２が介挿されており、排出口３８と排水フランジ４０との間がシール部材４２にて水密にシールされている。
【００２７】
図２は排水フランジ４０と周辺部の構造を、また図３は排水フランジ単体の構成を詳しく示したものである。
これらの図に示しているように、排水フランジ４０は浅いトレー状をなすフランジ部４４と、円筒部（筒部）４６とを有している。
フランジ部４４には一対の固定部４８が設けられており、それらの固定部４８が、固定孔５０において縦の壁Ｗに固定されるようになっている。
【００２８】
円筒部４６は排水配管１８、詳しくはその水平部２４への良好な嵌入性を確保するため、即ち排水配管１８内に差し込み易くするため、外周面５２がフランジ部４４から離れるに従って小径となるテーパ面とされている。
【００２９】
一方円筒部４６の内周面５８には９０°づつ隔たった周方向４箇所に溝５４が円筒部４６の全長に亘って形成されている。
これら溝５４の底面（内周面５８の一部）５８Ａは、外周面５２とは逆向きの勾配を有する逆テーパ面とされている。詳しくはこれら溝５４の底面５８Ａは、フランジ部４４から図中右向きに離れるに従って、円筒部４６の軸心から径方向に離れる向きの逆テーパ面とされている。即ちこの溝５４の底面５８Ａは順勾配の排水路の一部を成している。
【００３０】
尚本実施形態において、４個所の溝５４の２つは上下位置に配置されており、また他の２つの溝はその中間位置に配置されている。
尚この実施形態において、円筒部４６における内周面５８の、溝５４の底面５８Ａ以外の部分は外周面５２と同じ向き且つ同じ勾配のテーパ面をなしている。
【００３１】
尚、この実施形態では円筒部４６の内周面に部分的に溝５４を設けて、その溝５４の底面５８Ａを逆テーパ面となしているが、そのような溝５４を設けることなく円筒部４６の内周面５８全体を逆テーパ面となしておくこともできる。
【００３２】
以上のような本実施形態によれば、排水フランジ４０における円筒部４６の外周面５２を排水配管１８への嵌入性のためにテーパ面となした場合においても、その内周面については先端にかけて下向きとなる順勾配の面となすことができることから、小便器１０の排出口３８を通じて排出される排水を排水フランジ４０及び周辺部で滞留させることなく、スムーズに排出することができる。これにより排水フランジ４０の円筒部４６の内側、更にその上流側である排出口３８の周辺部等に排水が溜まって同部分で細菌が繁殖し、そこに尿石を付着・堆積せしめる問題を良好に解決することができる。
【００３３】
次に図４は本発明の他の実施形態を示したもので、この実施形態は、円筒部４６の内周面５８全体を逆テーパ面となすとともに、フランジ部４４の内周側の周縁に沿って、円筒部４６とは逆向きに環状に突出する突出部６０を設け、この突出部６０を小便器の排出口３８に対してほぼ突き合わせるようになしたものである。
【００３４】
図２及び図３に示す実施形態では、小便器の排出口３８と排水フランジ４０における円筒部４６との間に段差が生じているが、図４に示しているようにこの実施形態では突出部６０によりその段差が消失し、排出口３８の内周面と排水路を形成する排水フランジ４０の円筒部４６の内周面とが軸方向に凹凸なく、ほぼ連続した面となっている。
【００３５】
またこの突出部６０は、排水フランジ４０のフランジ部４４に対して小便器の排出口３８により弾性を有するシール部材４２を押し付けたとき、シール部材４２が変形を生じてその一部が排水路にはみ出すのを防止する働きなす。
【００３６】
従ってこの突出部６０を設けておくことによって、シール部材４２が排水路中にはみ出し、そのはみ出し部分が排水の流れの障害となって良好な排水を阻害する問題を無くすことができる。即ちスムーズな排水を確保し得て、尿石の付着・堆積を効果的に抑制することができる。
【００３７】
次に図５は本発明の更に他の実施形態を示したもので、この実施形態は、図２及び図３に示す実施形態と図４に示す実施形態とを組み合わせた形態のものである。即ちこの実施形態では、排水フランジ４０における円筒部４６の内周面５８に溝５４を設けるとともに、併せて突出部６０を設けた形態のものである。
【００３８】
図６は本発明の更に他の実施形態を示している。
この実施形態は、円筒部４６とは逆向きに環状に突出する嵌入部６２を設けて、この嵌入部６２を小便器１０の排出口３８に嵌入させるようになした例である。
【００３９】
尚この実施形態においても上記と同様の突出部６０が設けられている。
ここで嵌入部６２の内周面と円筒部４６の内周面とは、軸方向に同一の角度で傾斜する連続した面をなしている。
このような嵌入部６２を設けることによって、排出口３８と排水フランジ４０との接続部分との内周面をより凹凸のない滑らかな面となすことができ、同部分における排水の流れを更にスムーズな流れとなすことができる。
【００４０】
またこのような嵌入部６２を設けることによって、円筒部４６の肉厚を厚くし、これにより内周面５８のテーパ角度をより大きく取ることが可能となって、排水の流れを更に円滑化することができる。
【００４１】
次に図７は本発明の更に他の実施形態を示したもので、この実施形態は、図６に示す実施形態において、更に円筒部４６の内周面５８に溝５４を設けて、その溝５４の底面５８Ａを略テーパ面となした例である。
尚この実施形態において、溝５４は嵌入部６２の端部（図中左端部）まで延びている。
【００４２】
以上本発明の実施形態を詳述したがこれらはあくまで本発明の一例示であり、本発明はその趣旨を逸脱しない範囲において種々変更を加えた形態で構成可能である。
【図面の簡単な説明】
【００４３】
【図１】本発明の一実施形態の排水フランジを小便器とともに示す図である。
【図２】図１の排水フランジと小便器の排出口との接合部分の断面図である。
【図３】同排水フランジの斜視図である。
【図４】本発明の他の実施形態を示す図である。
【図５】本発明の更に他の実施形態を示す図である。
【図６】本発明の更に他の実施形態を示す図である。
【図７】本発明の更に他の実施形態を示す図である。
【図８】従来の排水フランジをその不具合とともに示す図である。
【図９】尿石の付着促進試験を行ったときの尿石の堆積状態を示す図である。
【図１０】図９に示す尿石の堆積状態の実際の撮影写真を図化したものを尿石の付着していない状態との比較で示した図である。
【符号の説明】
【００４４】
１０  小便器
１８  排水配管
３８  排出口
４０  排水フランジ
４２  シール部材
４４  フランジ部
４６  円筒部(筒部)
５２  外周面
５４  溝
５８  内周面
５８Ａ  溝底面
６０  突出部
６２  嵌入部
【図１】
2005179928.tif 000003
【図２】
2005179928.tif 000004
【図３】
2005179928.tif 000005
【図４】
2005179928.tif 000006
【図５】
2005179928.tif 000007
【図６】
2005179928.tif 000008
【図７】
2005179928.tif 000009
【図８】
2005179928.tif 000010
【図９】
2005179928.tif 000011
【図１０】
2005179928.tif 000012